(57)【要約】      （修正有）【課題】音楽のパート毎に区切りを入力して時間データを作成する場合において、一定の入力目標を設定して、音楽パート間の歌詞の切り替えが前後しないように入力タイミングを養成する。また、音楽との同期表示システムに必要なプログラムを外部から容易に入手できるようにする。【解決手段】音楽の歌唱終了後のインターバルの終了時を入力目標として設定し、入力目標に近いほど高い入力ポイントとすることにより、歌詞切り替えの精度を高める。また、音楽毎のインターバルの時間情報などの同期表示システムに必要なデータを登録したファイルをデータベースにしてダウンロードして利用した後にファイルを消去して一時的に利用できるようにする。【選択図】図１
2015114397.tif 000002
【特許請求の範囲】
【請求項１】
音楽再生と合わせて画面に表示されるパート歌詞を参照して画面のボタンを入力して音楽との同期表示に用いる時間データを作成する場合において、歌唱部をともに含む音楽パートと音楽パートの間にパートの区切りを入力する目安として、一つのパートの歌唱終了時から次の歌唱開始時までの間を歌唱に係るインターバル（以下「インターバル」という。）として設定し、複数の音楽毎の音楽演奏ファイル（以下「音楽ファイル」という。）、テキストファイル形式の各パートの歌詞及び前奏、間奏などとともにインターバルのパートであることを示す語句を含むインターバル対応歌詞ファイル、インターバルの開始時とすべてのパートの終了時の時間情報を含むインターバル対応時間ファイル、パート別時間ファイルといった音楽関連ファイルを特定データベースに登録して、パート別時間ファイルについてはパート数を音楽リストに表示して、必要な音楽ファイル又は音楽関連ファイルをダウンロードにより利用者に配信するシステム
【請求項２】
音楽と同期表示するための時間データ作成に係る区切りの入力を行う場合に、請求項１のインターバル（以下「インターバル」という。）の終了時を歌詞切り替えに係る入力目標として設定して、インターバルの開始からパート毎の時間の区切りの入力時までの時間を当該インターバルの時間で除した数値を入力に係るポイントとして算出して表示するとともに、歌詞表示プログラムでインターバル開始時及び終了時と合わせてパート毎のポイントや平均ポイントを表示するシステム
【請求項３】
請求項１のインターバル対応歌詞ファイル（以下「対応歌詞ファイル」という。）を作成する場合に、各パートの歌詞や前奏・間奏などの語句を入力してパート毎の歌詞ファイルとして保存する際に、パート毎の文章を照合して当該パート及びその次のパートが前奏や間奏といった歌唱を含まないパート以外の場合に請求項１のインターバル（以下「インターバル」という。）のパートであることを示す特定の語句（以下「特定ワード」という。）を追加して対応歌詞ファイルとして保存するとともに、音楽との同期歌詞表示を行う際に、対応歌詞ファイルを読み込んで各パートの語句と特定ワードを照合して一致する場合に当該パートを読み込まないことにより、対応歌詞ファイルの中からインターバルのパートを除外する方法
【請求項４】
メールの受信者がメールに添付された適当な区切りで改行されたテキストファイル形式の特定のファイル名のファイル（以下「メールファイル」という。）を指定の場所に保存して、音楽との同期表示に用いる音楽や時間情報を有しない場合に、請求項１の特定データベースからメールファイルの行数以上のパート数の音楽を選曲して選曲した音楽の音楽演奏ファイル及びパート別時間ファイル（以下「両ファイル」という。）をダウンロードして、両ファイル及びメールファイルを読み込んで音楽と同期してメールの文章を表示するプログラムを実行するとともに、当該プログラムの終了時に両ファイルを自動的に消去することにより両ファイルを一時的に利用する方法
【発明の詳細な説明】
【技術分野】
【０００１】
この発明は、音楽と文章の同期表示システムに関する。
【背景技術】
【０００２】
従来の技術としては、音楽パートの順番、歌詞のテキスト情報、表示時間などをもとにして音楽と歌詞を同期して表示するものがある。（特許文献１）また、音楽の演奏時間を計測して同期表示データを作成する音楽との同期表示システム（特許文献２）がある。
【特許文献１】特開２００５−０７０４７２号公報
【特許文献２】特願２０１０−２１０２９３号公報
【発明の開示】
【発明が解決しようとする課題】
【０００３】
音楽と同期して歌詞表示する場合において、携帯型の電子機器などでは歌詞の入力がしにくいほか、インターバル対応の時間データ作成ではインターバルの開始、終了の時間データなどの入手が必要である。
【０００４】
インターバル対応の時間データ作成において、インターバル内に入力目標を設定して、歌詞表示のプログラムで当該ポイントを表示して歌詞の切り替えタイミングの入力感覚を養成できるようにする。
【０００５】
また、同期してメールを表示する際に、音楽演奏ファイルとともに同期表示のための時間ファイルが必要であるが、時間ファイルの作成の苦手の方や普段音楽を利用しない方が外部から時間データファイルを入手して同期メールを鑑賞できる仕組みが必要である。
【０００６】
外部からの入手方法は、ファイルの読み込み後スタートを合わせるためダウンロードによるが、プログラム実行後にファイルを消去して利用者が一時的に利用できるようにする。
【課題を解決するための手段】
【０００７】
以上の課題を解決するために、音楽毎の音楽（演奏）ファイル及びインターバル対応歌詞ファイル、パート別時間ファイル、インターバル対応時間ファイルを複数、クラウドミュージックボックスといった特定のデータベースに登録して、ダウンロードにより配信する。
【０００８】
音楽ファイル以外のファイルはすべてテキストファイル形式にして、音楽ファイル名で検索できるようにする。インターバル対応歌詞ファイルは、パート毎に入力した歌詞を保存する際に、パート毎の文章を照合して当該パート及びその次のパートが前奏や間奏、endingといった歌唱を含まないパート以外の場合にインターバルのパートであることを示す「インターバル」といった特定ワードを自動的に追加して作成する。
【０００９】
インターバル対応歌詞ファイルを利用する場合は、同ファイルを読み込む際にパートの文章を照合して、「インターバル」といった特定ワードのパートを読み込まないことにより通常の歌詞ファイルと同様な形で利用する。
【００１０】
また、各インターバルの終了時を歌詞切り替えに係る入力目標として設定して、インターバルの開始時から入力時までの時間をインターバルの時間で除した数値を入力に係るポイントとして、次のパートで表示する。歌詞表示プログラムでインターバルの開始時及び終了時とともにパート毎のポイントや平均ポイントを表示して、入力状況を確認する。
【００１１】
同期メールは音楽フレーズ毎に文章入力して作成するほか、音楽を利用しないで作成したメッセージも適当な区切りで改行してファイルにして直ちに開示されないようにして、「ミュージックメール」といった特定のファイル名で送信する。
【００１２】
同期メールの受信者は、当該ファイルを指定場所に保存して、ＢＧＭとする音楽の音楽ファイルやパート別時間ファイルを外部から入手するかどうかを選択して、外部から入手する場合、音楽演奏ファイルとパート別時間ファイルをダウンロードしてメールの文章を音楽と同期して表示した後に、音楽演奏ファイルとパート別時間ファイルを消去して、それらのファイルを電子機器に登録せずに一時的に利用できるようにする。
【００１３】
なお、データベースの音楽リストは、音楽毎の時間ファイルのパート数と同期メールを行うミュージックメールの行数を表示して、時間ファイルのパート数が当該行数より多いことを確認して選曲できるようにする。
【発明の効果】
【００１４】
クラウド型データベースからのダウンロードにより他の曲に替えた場合も音楽フレーズ毎に同期して文章が表示されるので、音楽と一体感をもってメール鑑賞することができる。
【００１５】
ダウンロードしての利用後にファイルを消去するので、普段音楽を利用しない人も音楽ファイルを登録しないで利用できる。また、歌詞などを入力しにくい携帯型の電子機器でも時間データ作成用のファイルを手軽に入手してクリック入力を楽しむことができる。
【００１６】
歌詞切り替えに係る利用者の入力タイミングの精度を高め、インターバルの間の切り替え時期を平準化することができる。
【発明を実施するための最良の形態】
【００１７】
図１は、クラウド型音楽との同期表示システムの内容の説明図である。
図の上部のクラウドミュージックボックスは、音楽演奏ファイルなどを含む商業用データベースで、利用者は必要なファイルを選択して配信を受ける。下部のマイミュージックボックスは、ダウンロードして登録又は自らが登録した個人のデータベースである。
【００１８】
図の上部のクラウドミュージックメールシステムは、音楽や時間情報を有しない利用者がテキストファイル形式のメールファイルを受信した場合に利用する。当該メールファイルを音楽との同期メールプログラムの読み込み先のフォルダに保存した後、当該プログラムを実行するとスタート前画面になり、メールファイルの行数を表示するとともにクラウドミュージックボックスに接続して音楽リストを表示する。
【００１９】
音楽リストのパート別時間ファイルのパート数表示がファイルの行数以上の音楽から選曲して、音楽演奏ファイル及びパート別時間ファイルを指定のフォルダにダウンロードして保存する。そして、スタートすると、音楽と同期してパート毎にメールの文章を表示する。終了後、ダウンロードした各ファイルを自動で消去する。
【００２０】
画面の下２つは、いずれも時間データを作成するもので、時間データの作成後に個人用のデータベースに保存する。
【００２１】
図２は、インターバル対応時間データ作成システムの内容の説明図である。
システムを起動すると、個人用のデータベース（マイミュージックボックス）に登録されたファイルを検索して音楽リストを表示する。
【００２２】
音楽リストから音楽を選曲すると、当該音楽の音楽演奏ファイル及びインターバル対応歌詞ファイル、インターバル対応時間ファイルを読み込みした後、スタートする。スタートすると、音楽再生とともにパート毎の文章（歌詞又は前奏という語句）が表示され、当該文章が特定ワードの場合はインターバルのパートであり、画面にその旨表示する。
【００２３】
インターバルのパートでは、時間の区切り入力時の時間情報をもとに、インターバルの開始時から当該入力時までの時間をインターバルの時間で除して入力ポイントとして、次パートで表示する。全てのパートの区切り入力終了後にパート別時間ファイルを作成する。
【００２４】
続いて音楽との同期歌詞表示プログラムを実行して、音楽演奏ファイル及びパート別時間ファイルを読み込むとともに、インターバル対応歌詞ファイルについてはパート毎に文章が特定ワードに一致するどうかを照合して、一致する場合は読み込まないでインターバルのパートを除き、パート毎の歌詞又は前奏・間奏などのパートだけを読み込み、音楽と同期してパート毎の歌詞を表示する。
【００２５】
また、パート歌詞に隣接してパート毎の入力時の時間とともに、インターバルのパートではインターバルの開始時及び終了時（入力目標）の時間と入力ポイントを表示して、
各画面毎の入力ポイントの平均や最終画面で全体の入力ポイントの平均を表示する。
【００２６】
図３は、クラウド型ミュージックメールシステムの内容の説明図である。
メールの送信者は、メールのメッセージを作成した後、適当な区切りで改行して特定の
ファイル名のファイルMM（ミュージックメール）でテキストファイル形式により保存した後、メールに添付して送信する。
【００２７】
メールの受信者は、受信したファイルが特定のファイル名MMの場合にファイルを指定フォルダに保存して同期メールプログラムを実行する。MMを読み込み、ファイルの行数をスタート前画面に表示して、ＢＧＭの音楽について外部からの入手又は個人分を利用するかを選択する。
【００２８】
普段、電子機器で音楽を利用しない場合は外部からの入手を選択して外部のデータベースに接続する。音楽リストのMMのファイルの行数以上のパート数の音楽から選曲すると、選曲した音楽の音楽演奏ファイル及びパート別時間ファイルがダウンロードされて指定フォルダに保存される。
【００２９】
音楽との同期メール表示の実行に必要な３つのファイルが保存されたのを受け、スタートすると各ファイルを読み込みして音楽と同期してメールを表示した後、終了時に外部からダウンロードした２つのファイルを消去して終了する。
【産業上の利用可能性】
【００３０】
音楽産業、音楽教材、携帯電話、ソーシャルゲームなどで産業上の利用可能性がある。
【図面の簡単な説明】
【００３１】
【図１】この発明における、クラウド型音楽との同期表示システムの説明図である。
【図２】この発明における、インターバル対応時間データ作成システムの説明図である。
【図３】この発明における、クラウド型ミュージックメールシステムの説明図である。
【図１】
2015114397.tif 000003
【図２】
2015114397.tif 000004
【図３】
2015114397.tif 000005